(57)【特許請求の範囲】
【請求項１】
配線基板に実装された相手方コネクタと嵌合可能に構成された電気コネクタと、前記電気コネクタに接続された同軸ケーブルとを備えるコネクタ組立体であって、
前記同軸ケーブルは、
前記電気コネクタと前記相手方コネクタとの嵌合時に前記配線基板上の導体と電気的に接続される内部導体と、
前記内部導体を覆う筒状の絶縁体と、
前記絶縁体を覆う筒状の外部導体とを有し、
先端に向かうにつれて、前記外部導体、前記絶縁体及び前記内部導体がこの順に段状に露出しており、
前記電気コネクタは、
前記内部導体が接続される導電性の信号コンタクト導体と、
前記外部導体が接続される導電性のグランドコンタクト導体と、
前記信号コンタクト導体と前記グランドコンタクト導体との間を絶縁する絶縁ハウジングとを有し、
前記絶縁ハウジングは、
内部に前記信号コンタクト導体を保持する筒状の絶縁本体部と、
前記絶縁本体部の周面から前記絶縁本体部の径方向外方に向けて突出する突出部とを含み、
前記グランドコンタクト導体は、
内部に前記絶縁本体部を収容する筒状の本体部であって、前記筒状の本体部の高さ方向において前記筒状の本体部の上端から延びる連結部を含む筒状の本体部と、
起立状態と、前記筒状の本体部に近接した伏臥状態との間で姿勢が変更可能となるように前記連結部から延びる蓋部と、
一対のアーム部とを含み、
前記突出部は、
前記絶縁体及び前記外部導体が載置されるベース部と、
前記ベース部に突設されると共に前記外部導体のうち少なくとも先端を間に置くように配置された一対の壁部とを含み、
前記蓋部が伏臥状態にあるときに、前記外部導体の先端の少なくとも周囲は、前記一対の壁部と、前記ベース部と、前記蓋部とによって取り囲まれており、
前記筒状の本体部は、前記筒状の本体部の高さ方向に延びるスリットを含み、
前記一対のアーム部は、前記スリットの各側縁から前記絶縁本体部の径方向外方に沿って突出しており、
前記一対のアーム部は、前記突出部が間に位置するように前記一対の壁部の外側面とそれぞれ当接している、コネクタ組立体。
【請求項２】
前記一対の壁部は、
前記絶縁体のうち少なくとも一部と対向する第１の部分と、
前記外部導体のうち少なくとも先端と対向する第２の部分とを含み、
前記第１の部分同士の離間距離は、前記第２の部分同士の離間距離よりも小さい、請求項１に記載のコネクタ組立体。
【請求項３】
前記絶縁体のうち少なくとも一部は、前記一対の壁部によって覆われていない、請求項１に記載のコネクタ組立体。
【請求項４】
前記蓋部には、前記突出部のうち前記配線基板に対向する側の表面に至るまで前記突出部に巻き付くように前記突出部を把持する固定部が設けられており、
前記固定部は、前記本体部よりも前記配線基板側に向けて突出している、請求項１〜３のいずれか一項に記載のコネクタ組立体。
【請求項５】
配線基板に実装された相手方コネクタと嵌合可能に構成された電気コネクタと、前記電気コネクタに接続された同軸ケーブルとを備えるコネクタ組立体であって、
前記同軸ケーブルは、
前記電気コネクタと前記相手方コネクタとの嵌合時に前記配線基板上の導体と電気的に接続される内部導体と、
前記内部導体を覆う筒状の絶縁体と、
前記絶縁体を覆う筒状の外部導体とを有し、
先端に向かうにつれて、前記外部導体、前記絶縁体及び前記内部導体がこの順に段状に露出しており、
前記電気コネクタは、
前記内部導体が接続される導電性の信号コンタクト導体と、
前記外部導体が接続される導電性のグランドコンタクト導体と、
前記信号コンタクト導体と前記グランドコンタクト導体との間を絶縁する絶縁ハウジングとを有し、
前記絶縁ハウジングは、
内部に前記信号コンタクト導体を保持する筒状の絶縁本体部と、
前記絶縁本体部の周面から前記絶縁本体部の径方向外方に向けて突出する突出部とを含み、
前記グランドコンタクト導体は、内部に前記絶縁本体部を収容する筒状の本体部を含み、
前記突出部は、
前記絶縁体及び前記外部導体が載置されるベース部と、
前記ベース部に突設されると共に前記外部導体のうち少なくとも先端を間に置くように配置された一対の壁部とを含み、
前記絶縁体のうち少なくとも一部は、前記一対の壁部によって覆われていない、コネクタ組立体。
【請求項６】
前記突出部には、前記絶縁本体部に向けて延び且つ内部に前記内部導体が敷設された凹溝が設けられている、請求項１〜５のいずれか一項に記載のコネクタ組立体。
【請求項７】
前記突出部の側面には一対の被係止部が設けられており、
前記一対のアーム部にはそれぞれ、前記一対の被係止部のうち対応する一の被係止部と係止可能に構成された係止部が設けられている、請求項１〜６のいずれか一項に記載のコネクタ組立体。
【請求項８】
配線基板に実装された相手方コネクタと嵌合可能に構成される電気コネクタにおいて、前記相手方コネクタとの嵌合時に前記配線基板上の導体と電気的に接続される内部導体と、前記内部導体を覆う筒状の絶縁体と、前記絶縁体を覆う筒状の外部導体とを有し、先端に向かうにつれて、前記外部導体、前記絶縁体及び前記内部導体がこの順に段状に露出している同軸ケーブルと接続される電気コネクタであって、
前記内部導体が接続される導電性の信号コンタクト導体と、
前記外部導体が接続される導電性のグランドコンタクト導体と、
前記信号コンタクト導体と前記グランドコンタクト導体との間を絶縁する絶縁ハウジングとを備え、
前記絶縁ハウジングは、
内部に前記信号コンタクト導体を保持する筒状の絶縁本体部と、
前記絶縁本体部の周面から前記絶縁本体部の径方向外方に向けて突出する突出部とを有し、
前記グランドコンタクト導体は、
内部に前記絶縁本体部を収容する筒状の本体部であって、前記筒状の本体部の高さ方向において前記筒状の本体部の上端から延びる接続部を含む筒状の本体部と、
起立状態と、前記筒状の本体部に近接した伏臥状態との間で姿勢が変更可能となるように前記接続部から延びる蓋部と、
一対の第１及び第２のアーム部とを有し、
前記突出部は、
前記絶縁体及び前記外部導体が載置されるベース部と、
前記ベース部に突設されると共に前記外部導体のうち少なくとも先端を配置可能な空間を前記ベース部と共に構成する一対の壁部とを含み、
前記一対の壁部と、前記ベース部と、前記蓋部とは、前記蓋部が伏臥状態にあるときに、前記外部導体の先端の少なくとも周囲を取り囲むことが可能に構成された空間をなし、
前記筒状の本体部は、前記筒状の本体部の高さ方向に延びるスリットを含み、
前記一対のアーム部は、前記スリットの各側縁から前記絶縁本体部の径方向外方に沿って突出しており、
前記一対のアーム部は、前記突出部が間に位置するように前記一対の壁部の外側面とそれぞれ当接している、電気コネクタ。
【請求項９】
前記一対の壁部は、
前記絶縁体のうち少なくとも一部と対向するように構成された第１の部分と、
前記外部導体のうち少なくとも先端と対向するように構成された第２の部分とを含み、
前記第１の部分同士の離間距離は、前記第２の部分同士の離間距離よりも小さい、請求項８に記載の電気コネクタ。
【請求項１０】
前記絶縁体のうち少なくとも一部と対向する領域には、前記一対の壁部が存在していない、請求項８に記載の電気コネクタ。
【請求項１１】
前記蓋部には、前記突出部のうち前記配線基板に対向する側の表面に至るまで前記突出部に巻き付くように前記突出部を把持する固定部が設けられており、
前記固定部は、前記本体部よりも前記配線基板側に向けて突出している、請求項８〜１０のいずれか一項に記載の電気コネクタ。
【請求項１２】
配線基板に実装された相手方コネクタと嵌合可能に構成される電気コネクタにおいて、前記相手方コネクタとの嵌合時に前記配線基板上の導体と電気的に接続される内部導体と、前記内部導体を覆う筒状の絶縁体と、前記絶縁体を覆う筒状の外部導体とを有し、先端に向かうにつれて、前記外部導体、前記絶縁体及び前記内部導体がこの順に段状に露出している同軸ケーブルと接続される電気コネクタであって、
前記内部導体が接続される導電性の信号コンタクト導体と、
前記外部導体が接続される導電性のグランドコンタクト導体と、
前記信号コンタクト導体と前記グランドコンタクト導体との間を絶縁する絶縁ハウジングとを備え、
前記絶縁ハウジングは、
内部に前記信号コンタクト導体を保持する筒状の絶縁本体部と、
前記絶縁本体部の周面から前記絶縁本体部の径方向外方に向けて突出する突出部とを有し、
前記グランドコンタクト導体は、内部に前記絶縁本体部を収容する筒状の本体部を有し、
前記突出部は、
前記絶縁体及び前記外部導体が載置されるベース部と、
前記ベース部に突設されると共に前記外部導体のうち少なくとも先端を配置可能な空間を前記ベース部と共に構成する一対の壁部とを含み、
前記一対の壁部は、前記外部導体のうち少なくとも先端が配置可能な空間を前記ベース部と共に構成しており、
前記絶縁体のうち少なくとも一部と対向する領域には、前記一対の壁部が存在していない、電気コネクタ。
【請求項１３】
前記突出部には、前記絶縁本体部に向けて延び且つ内部に前記内部導体を敷設可能な凹溝が設けられている、請求項８〜１２のいずれか一項に記載の電気コネクタ。
【請求項１４】
前記突出部の側面には一対の被係止部が設けられており、
前記一対のアーム部にはそれぞれ、前記一対の被係止部のうち対応する一の被係止部と係止可能に構成された係止部が設けられている、請求項８〜１３のいずれか一項に記載の電気コネクタ。
【発明の詳細な説明】
【技術分野】
【０００１】
本開示は、コネクタ組立体及び電気コネクタに関する。
【背景技術】
【０００２】
一般に、携帯電話等の小型端末の内部には、配線基板間で高周波信号を伝送するために、多数の同軸ケーブルが配線されている。同軸ケーブルの先端にはプラグコネクタが設けられている。配線基板には、リセプタクルコネクタが実装されている。これらのプラグコネクタとリセプタクルコネクタとが嵌合することで、同軸ケーブルと配線基板とが電気的に接続される。
【０００３】
特許文献１は、プラグコネクタの一例を開示している。特許文献１のプラグコネクタは、導電性の信号コンタクト導体と、導電性のグランドコンタクト導体と、絶縁材料で構成された絶縁ハウジングとを備える。信号コンタクト導体には、同軸ケーブルの内部導体が接続される。グランドコンタクト導体には、同軸ケーブルの外部導体が接続される。絶縁ハウジングは、信号コンタクト導体を内部に保持すると共に、信号コンタクト導体とグランドコンタクト導体との間を絶縁する。
【０００４】
グランドコンタクト導体は、絶縁ハウジングを収納可能な筒状の本体部と、本体部の筒軸方向において本体部の縁から一体的に延びる蓋部と、本体部の周縁から本体部の径方向外方に向けて突出する一対のアーム部とを有する。絶縁ハウジングは、円筒状を呈する絶縁本体部と、絶縁本体部の周面から絶縁本体部の径方向外方に向けて突出する突出部とを有する。絶縁本体部は、グランドコンタクト導体の本体部内に、本体部と同一軸状に延びるように配置されている。突出部は、グランドコンタクト導体の一対のアーム部の間に配置されている。
【０００５】
絶縁ハウジングには、突出部の端面から絶縁本体部の内部にかけて直線状に延びる凹溝が設けられている。プラグコネクタに同軸ケーブルを取り付ける際、同軸ケーブルの内部導体が、凹溝に沿って延びるように凹溝内に配置される。
【先行技術文献】
【特許文献】
【０００６】
【特許文献１】特開２０１３−２２２６８５号公報
【発明の概要】
【発明が解決しようとする課題】
【０００７】
ところで、同軸ケーブルは、中心軸に沿って延びる内部導体と、内部導体を覆う筒状の絶縁体と、絶縁体を覆う筒状の外部導体と、外部導体を覆う保護被膜とで構成されている。外部導体は、一般に、多数の細い金属線（例えば銅線）が網状又はスパイラル状に編成された網組線である。同軸ケーブルをプラグコネクタに組み付ける際、同軸ケーブルが部分的に切除され、同軸ケーブルの先端側に向かうにつれて、外部導体、絶縁体及び内部導体がこの順に段状に露出される。このとき、外部導体をなす網組線が解れて拡がってしまう場合がある。
【０００８】
外部導体が解れたまま同軸ケーブルをプラグコネクタに組み付けると、グランドコンタクト導体のバレルが外部導体の周囲に圧着されたときに（カシメられたときに）、解れた金属線がちぎれて脱落する懸念がある。あるいは、解れた金属線がプラグコネクタから外方に延びて、相手方コネクタ（リセプタクルコネクタ）の信号コンタクト導体と接触し、電気的に短絡してしまう懸念がある。
【０００９】
そこで、本開示は、同軸ケーブルの外部導体が外方に拡がるのを抑制することが可能なコネクタ組立体及び電気コネクタを説明する。
【課題を解決するための手段】
【００１０】
［１］本開示の一つの観点に係るコネクタ組立体は、配線基板に実装された相手方コネクタと嵌合可能に構成された電気コネクタと、電気コネクタに接続された同軸ケーブルとを備える。同軸ケーブルは、電気コネクタと相手方コネクタとの嵌合時に配線基板上の導体と電気的に接続される内部導体と、内部導体を覆う筒状の絶縁体と、絶縁体を覆う筒状の外部導体とを有し、先端に向かうにつれて、外部導体、絶縁体及び内部導体がこの順に段状に露出している。電気コネクタは、内部導体が接続される導電性の信号コンタクト導体と、外部導体が接続される導電性のグランドコンタクト導体と、信号コンタクト導体とグランドコンタクト導体との間を絶縁する絶縁ハウジングとを有する。絶縁ハウジングは、内部に信号コンタクト導体を保持する筒状の絶縁本体部と、絶縁本体部の周面から絶縁本体部の径方向外方に向けて突出する突出部とを含む。グランドコンタクト導体は、内部に絶縁本体部を収容する筒状の本体部を含む。突出部は、絶縁体及び外部導体が載置されるベース部と、ベース部に突設されると共に外部導体のうち少なくとも先端を間に置くように配置された一対の壁部とを含む。
【００１１】
本開示の一つの観点に係るコネクタ組立体では、絶縁ハウジングが、絶縁本体部の周面から絶縁本体部の径方向外方に向けて突出する突出部を含み、突出部が、絶縁体及び外部導体が載置されるベース部と、ベース部に突設されると共に外部導体のうち少なくとも先端を間に置くように配置された一対の壁部とを含んでいる。そのため、外部導体のうち解れやすい先端が、一対の壁部によって保護されている。従って、同軸ケーブルの外部導体が解れたとしても外部導体が外方に拡がるのを抑制することが可能となる。これにより、外部導体の解れた金属線がちぎれ難くなる。また、外部導体の解れた金属線が電気コネクタから外方に延び難くなるので、相手方コネクタの信号コンタクト導体との間で短絡の発生が抑制される。
【００１２】
［２］上記第１項に記載のコネクタ組立体において、一対の壁部は、絶縁体のうち少なくとも一部及び外部導体のうち少なくとも先端を間に置くように配置されており、絶縁体のうち少なくとも一部と対向する第１の部分と、外部導体のうち少なくとも先端と対向する第２の部分とを含み、第１の部分同士の離間距離は、第２の部分同士の離間距離よりも小さくてもよい。絶縁体の直径は外部導体の直径よりも小さい。そのため、第１の部分同士の離間距離が第２の部分同士の離間距離よりも小さいコネクタ組立体によれば、一対の壁部の内壁面が絶縁体及び外部導体の外形に対応した形状となる。従って、絶縁体及び外部導体の双方が一対の壁部によって案内されるので、一対の壁部によって絶縁体及び外部導体の振れを抑制することができる。
【００１３】
［３］上記第１項に記載のコネクタ組立体において、絶縁体のうち少なくとも一部は、一対の壁部によって覆われていなくてもよい。この場合、絶縁体の周りには、ベース部以外の絶縁ハウジングが存在しておらず、空気が存在する。ここで、空気の比誘電率は、約１であり、絶縁ハウジングを構成する材料（例えば樹脂等）の比誘電率よりも低い。比誘電率が低いと、比誘電率に比例する静電容量値も低い。そのため、静電容量値に反比例する性質を有する特性インピーダンスを、比較的大きくすることができる。従って、電気コネクタの小型化及び低背化が進んだとしても、特性インピーダンスを所望の値（例えば５０Ω）に整合しやすくなる。
【００１４】
［４］上記第１〜３項のいずれか一項に記載のコネクタ組立体において、突出部には、絶縁本体部に向けて延び且つ内部に内部導体が敷設された凹溝が設けられていてもよい。この場合、内部導体が凹溝によって案内されるので、凹溝によって内部導体の振れを抑制することができる。
【００１５】
［５］上記第１〜４項のいずれか一項に記載のコネクタ組立体において、グランドコンタクト導体は、一対のアーム部を更に含み、本体部には、その延在方向に延びるスリットが設けられており、一対のアーム部は、本体部のうちスリットをなす各端縁から本体部の径方向外方に向けて突出しており、突出部の側面には一対の被係止部が設けられており、一対のアーム部にはそれぞれ、一対の被係止部のうち対応する一の被係止部と係止可能に構成された係止部が設けられていてもよい。この場合、係止部が被係止部に係止されることで、絶縁ハウジングがグランドコンタクト導体に保持される。そのため、コネクタ組立体を製造する際に、同軸ケーブルを絶縁ハウジングに載置したとき、絶縁ハウジングがグランドコンタクト導体に対して移動してしまうことが抑制される。従って、コネクタ組立体を安定的に製造することができる。
【００１６】
［６］上記第１〜５項のいずれか一項に記載のコネクタ組立体において、グランドコンタクト導体は、本体部のうち配線基板とは離れた側の端縁から延びる蓋部を更に含み、蓋部には、突出部のうち配線基板に対向する側の表面に至るまで突出部に巻き付くように突出部を把持する固定部が設けられており、固定部は、本体部よりも配線基板側に向けて突出していてもよい。この場合、グランドコンタクト導体の本体部の配線基板側への突出量が抑制される。そのため、電気コネクタの低背化を図ることができる。
【００１７】
［７］本開示の他の観点に係る電気コネクタは、配線基板に実装された相手方コネクタと嵌合可能に構成される電気コネクタにおいて、相手方コネクタとの嵌合時に配線基板上の導体と電気的に接続される内部導体と、内部導体を覆う筒状の絶縁体と、絶縁体を覆う筒状の外部導体とを有し、先端に向かうにつれて、外部導体、絶縁体及び内部導体がこの順に段状に露出している同軸ケーブルと接続される電気コネクタであって、内部導体が接続される導電性の信号コンタクト導体と、外部導体が接続される導電性のグランドコンタクト導体と、信号コンタクト導体とグランドコンタクト導体との間を絶縁する絶縁ハウジングとを備える。絶縁ハウジングは、内部に信号コンタクト導体を保持する筒状の絶縁本体部と、絶縁本体部の周面から絶縁本体部の径方向外方に向けて突出する突出部とを有する。グランドコンタクト導体は、内部に絶縁本体部を収容する筒状の本体部を有する。突出部は、絶縁体及び外部導体が載置されるベース部と、ベース部に突設されると共に外部導体のうち少なくとも先端が配置可能な空間をベース部と共に構成する一対の壁部とを含む。
【００１８】
本開示の他の観点に係る電気コネクタでは、絶縁ハウジングが、絶縁本体部の周面から絶縁本体部の径方向外方に向けて突出する突出部を含み、突出部が、絶縁体及び外部導体が載置されるベース部と、ベース部に突設されると共に外部導体のうち少なくとも先端が配置可能な空間をベース部と共に構成する一対の壁部とを含んでいる。そのため、同軸ケーブルが電気コネクタに接続されたとき、外部導体のうち解れやすい先端が、一対の壁部によって保護されうる。従って、同軸ケーブルの外部導体が解れたとしても外部導体が外方に拡がるのを抑制することが可能となる。これにより、外部導体の解れた金属線がちぎれ難くなる。また、外部導体の解れた金属線が電気コネクタから外方に延び難くなるので、相手方コネクタの信号コンタクト導体との間で短絡の発生が抑制される。
【００１９】
［８］上記第７項に記載の電気コネクタにおいて、一対の壁部は、絶縁体のうち少なくとも一部及び外部導体のうち少なくとも先端が配置可能な空間をベース部と共に構成しており、絶縁体のうち少なくとも一部と対向するように構成された第１の部分と、外部導体のうち少なくとも先端部と対向するように構成された第２の部分とを含み、第１の部分同士の離間距離は、第２の部分同士の離間距離よりも小さくてもよい。絶縁体の直径は外部導体の直径よりも小さい。そのため、第１の部分同士の離間距離が第２の部分同士の離間距離よりも小さい電気コネクタによれば、一対の壁部の内壁面が絶縁体及び外部導体の外形に対応した形状となる。従って、絶縁体及び外部導体の双方が一対の壁部によって案内されるので、一対の壁部によって絶縁体及び外部導体の振れを抑制することができる。
【００２０】
［９］上記第７項に記載の電気コネクタにおいて、一対の壁部は、外部導体のうち少なくとも先端部が配置可能な空間をベース部と共に構成しており、絶縁体のうち少なくとも一部と対向する領域には、一対の壁部が存在していなくてもよい。この場合、同軸ケーブルが電気コネクタに接続されたとき、絶縁体の周りには、ベース部以外の絶縁ハウジングが存在しておらず、空気が存在する。ここで、空気の比誘電率は、約１であり、絶縁ハウジングを構成する材料（例えば樹脂等）の比誘電率よりも低い。比誘電率が低いと、比誘電率に比例する静電容量値も低い。そのため、静電容量値に反比例する性質を有する特性インピーダンスを、比較的大きくすることができる。従って、電気コネクタの小型化及び低背化が進んだとしても、特性インピーダンスを所望の値（例えば５０Ω）に整合しやすくなる。
【００２１】
［１０］上記第７〜９項のいずれか一項に記載の電気コネクタにおいて、突出部には、絶縁本体部に向けて延び且つ内部に内部導体を敷設可能な凹溝が設けられていてもよい。この場合、同軸ケーブルが電気コネクタに接続されたとき、内部導体が凹溝によって案内されるので、凹溝によって内部導体の振れを抑制することができる。
【００２２】
［１１］上記第７〜１０項のいずれか一項に記載の電気コネクタにおいて、グランドコンタクト導体は、一対のアーム部を更に含み、本体部には、その延在方向に延びるスリットが設けられており、一対のアーム部は、本体部のうちスリットをなす各端縁から本体部の径方向外方に向けて突出しており、突出部の側面には一対の被係止部が設けられており、一対のアーム部にはそれぞれ、一対の被係止部のうち対応する一の被係止部と係止可能に構成された係止部が設けられていてもよい。この場合、係止部が被係止部に係止されることで、絶縁ハウジングがグランドコンタクト導体に保持される。そのため、同軸ケーブルを電気コネクタに取り付ける際に、同軸ケーブルを絶縁ハウジングに載置したとき、絶縁ハウジングがグランドコンタクト導体に対して移動してしまうことが抑制される。従って、同軸ケーブルの電気コネクタへの取り付けを安定的に行うことができる。
【００２３】
［１２］上記第７〜１１項のいずれか一項に記載の電気コネクタにおいて、グランドコンタクト導体は、本体部のうち配線基板とは離れた側の端縁から延びる蓋部を更に含み、蓋部には、突出部のうち配線基板に対向する側の表面に至るまで突出部に巻き付くように突出部を把持する固定部が設けられており、固定部は、本体部よりも配線基板側に向けて突出していてもよい。この場合、グランドコンタクト導体の本体部の配線基板側への突出量が抑制される。そのため、電気コネクタの低背化を図ることができる。
【発明の効果】
【００２４】
本開示に係るコネクタ組立体及び電気コネクタによれば、同軸ケーブルの外部導体が外方に拡がるのを抑制することが可能となる。
【図面の簡単な説明】
【００２５】
【図１】図１は、コネクタ組立体を示す斜視図である。
【図２】図２は、コネクタ組立体を示す側面図である。
【図３】図３は、コネクタ組立体を示す底面図である。
【図４】図４は、図３のＩＶ−ＩＶ線断面図である。
【図５】図５は、プラグコネクタの開放状態を示す斜視図である。
【図６】図６は、プラグコネクタの開放状態を示す上面図である。
【図７】図７は、プラグコネクタを示す分解斜視図である。
【図８】図８は、絶縁ハウジングを示す上面図である。
【図９】図９は、信号コンタクト導体を下方から見た斜視図である。
【図１０】図１０は、絶縁ハウジングの他の例を示す上面図である。
【図１１】図１１は、絶縁ハウジングの他の例を示す斜視図である。
【図１２】図１２は、絶縁ハウジング及びグランドコンタクト導体の他の例を示す分解斜視図である。
【発明を実施するための形態】
【００２６】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００２７】
［コネクタ組立体］
コネクタ組立体１は、図１〜図６に示されるように、電気コネクタの一種であるプラグコネクタ１００が同軸ケーブル２００の先端部分に接続された組物である。プラグコネクタ１００は、図１〜図６に示されるように、グランドコンタクト導体１１０と、絶縁ハウジング１２０と、信号コンタクト導体１３０とを備える。プラグコネクタ１００は、携帯電話等の小型端末に内蔵される配線基板（図示せず）上に実装された相手方コネクタ（例えば、リセプタクルコネクタ）（図示せず）と嵌合及び抜去可能に構成されている。配線基板の主面に対して略直交する方向においてプラグコネクタ１００がリセプタクルコネクタに近接すると、プラグコネクタ１００がリセプタクルコネクタと嵌合する。一方、配線基板の主面に対して略直交する方向においてプラグコネクタ１００がリセプタクルコネクタから離間すると、プラグコネクタ１００がリセプタクルコネクタから抜去される。なお、本明細書では、プラグコネクタ１００をリセプタクルコネクタに嵌合する方向（差し込む方向）を「下方向」と称し、プラグコネクタ１００をリセプタクルコネクタから抜去する方向を「上方向」と称する。
【００２８】
［同軸ケーブル］
同軸ケーブル２００は、携帯電話等の小型端末に内蔵される各種の配線基板間で高周波信号を伝送するために、当該小型端末内において用いられる配線である。同軸ケーブル２００は、図４及び図５に示されるように、内部導体２０１と、絶縁体２０２と、外部導体２０３と、保護被膜２０４とを備える。
【００２９】
内部導体２０１は、線状に延びる金属線（例えば銅線）である。内部導体２０１は、１本の金属線で構成されていてもよいし、複数本の金属細線が撚られた編組線で構成されていてもよい。内部導体２０１は、高周波信号等の電気信号が流れる信号線として機能する。絶縁体２０２は、円筒形状を呈しており、絶縁材料（例えば、ポリエチレン等）で構成されている。絶縁体２０２の筒内には内部導体２０１が挿通されている。そのため、絶縁体２０２は、内部導体２０１の周面を被覆している。
【００３０】
外部導体２０３は、円筒形状を呈しており、複数本の金属細線（例えば銅細線）が撚られた編組線（網状又はスパイラル状）で構成されている。外部導体２０３の筒内には絶縁体２０２が挿通されている。そのため、外部導体２０３は、絶縁体２０２の周面を被覆しており、絶縁体２０２によって内部導体２０１とは電気的に接続されていない。外部導体２０３は、グランド（ＧＮＤ）として機能する。保護被膜２０４は、円筒形状を呈しており、絶縁材料（例えば、ポリエチレン、ポリ塩化ビニル等）で構成されている。保護被膜２０４の筒内には外部導体２０３が挿通されている。そのため、保護被膜２０４は、外部導体２０３の周面を被覆しており、外部導体２０３が他の導電体と電気的に接続されるのを保護している。
【００３１】
同軸ケーブル２００がプラグコネクタ１００と接続される際には、同軸ケーブル２００の加工が行われる。具体的には、図４及び図５に示されるように、同軸ケーブル２００の先端側に向かうにつれて、外部導体２０３、絶縁体２０２及び内部導体２０１がこの順に段状に露出される。
【００３２】
［グランドコンタクト導体］
グランドコンタクト導体１１０は、プレス加工された金属薄板で構成されている。そのため、グランドコンタクト導体１１０は導電性を有する。グランドコンタクト導体１１０は、本体部１１１と、蓋部１１２とを有する。
【００３３】
本体部１１１は、筒状体であり、本体部１１１の周面には、本体部１１１の延在方向（筒軸方向）に延びるスリットＳＬが形成されている（図３及び図５〜図７参照）。すなわち、本体部１１１は、筒軸方向から見て円弧形状を呈する。本体部１１１は、リセプタクルコネクタの外側を覆うようにリセプタクルコネクタと嵌合可能である。なお、本体部１１１は、リセプタクルコネクタによって外側から覆われるようにリセプタクルコネクタと嵌合可能であってもよい。本体部１１１がリセプタクルコネクタと嵌合する際には、本体部１１１のうちスリットＳＬの近傍に位置する下端縁１１１ａ（本体部１１１のうち配線基板と対向する側の端縁）が弾性的に変形する。
【００３４】
本体部１１１のうちスリットＳＬをなす各側端縁にはそれぞれ、図２、図３及び図５〜図７に示されるように、アーム部１１３が一体的に設けられている。各アーム部１１３は、互いに平行に延びるように、本体部１１１のうちスリットＳＬをなす各側端縁から本体部１１１の径方向外側に向けて突出している。本体部１１１の上端縁１１１ｂ（本体部１１１のうち後述する連結部１１４が位置する側の端縁）には、図５〜図７に示されるように、凹形状を呈する一対の切り欠き部１１１ｃが設けられている。
【００３５】
蓋部１１２は、図１、図２、図４、図５及び図７に示されるように、連結部１１４を介して本体部１１１と連結されている。蓋部１１２は、図１〜図５に示されるように、シェル部１１５と、一対の固定部１１６〜１１８とを有する。シェル部１１５は、基端部１１５ａと、中間部１１５ｂと、先端部１１５ｃとを有する。基端部１１５ａは、中間部１１５ｂ及び先端部１１５ｃよりも幅広であり、連結部１１４と中間部１１５ｂとの間に位置している。基端部１１５ａは、連結部１１４を介して本体部１１１の上端縁１１１ｂに一体的に設けられている。そのため、蓋部１１２は、連結部１１４が屈曲することで、連結部１１４を起点として揺動し、本体部１１１に対して近接及び離間可能である。中間部１１５ｂは、先端部１１５ｃよりも幅広であり、基端部１１５ａと先端部１１５ｃとの間に位置している。そのため、蓋部１１２は、基端部１１５ａから先端部１１５ｃに向かうにつれて幅狭となるような階段状を呈している。
【００３６】
同軸ケーブル２００をプラグコネクタ１００に取り付ける前は、連結部１１４は屈曲しておらず、図５〜図７に示されるように、蓋部１１２は本体部１１１に対して起立した状態（蓋部１１２が本体部１１１から離間した起立状態）である。一方、蓋部１１２が連結部１１４を介して折り曲げられると、連結部１１４が屈曲して、図１〜図４に示されるように、蓋部１１２が本体部１１１に対して対向した状態（蓋部１１２が本体部１１１に近接した伏臥状態）となる。蓋部１１２の伏臥状態において、図３及び図４に示されるように、シェル部１１５は、本体部１１１及び各アーム部１１３を覆う。具体的には、蓋部１１２の伏臥状態において、基端部１１５ａが本体部１１１を覆っており、中間部１１５ｂが各アーム部１１３を覆っている。すなわち、基端部１１５ａは本体部１１１に対応しており、中間部１１５ｂは各アーム部１１３に対応している。
【００３７】
一対の固定部１１６は、中間部１１５ｂに一体的に設けられている。一対の固定部１１７，１１８は、先端部１１５ｃに一体的に設けられている。一対の固定部１１６〜１１８は、基端部１１５ａから先端部１１５ｃに向かう方向においてこの順に並んでいる。一対の固定部１１６〜１１８はそれぞれ、片持ち状の板部材である。
【００３８】
図５〜図７に示されるように、プラグコネクタ１００の組み立て前において、一対の固定部１１６はそれぞれ、中間部１１５ｂの両側縁から側方に延びつつ中間部１１５ｂに対して起立しており、略Ｌ字形状を呈している。プラグコネクタ１００の組み立て前において、一対の固定部１１７，１１８はそれぞれ、先端部１１５ｃの両側縁から側方に延びつつ先端部１１５ｃに対して起立しており、略Ｌ字形状を呈している。
【００３９】
［絶縁ハウジング］
絶縁ハウジング１２０は、信号コンタクト導体１３０を内部に保持すると共にグランドコンタクト導体１１０と信号コンタクト導体１３０との間を絶縁するための絶縁体である。絶縁ハウジング１２０は、例えば、樹脂材料を射出成形することによって形成されうる。絶縁ハウジング１２０は、図４〜図８に示されるように、絶縁本体部１２１と、突出部１２２と、押圧部１２３とを有する。
【００４０】
絶縁本体部１２１は、筒形状を呈しており、内部に信号コンタクト導体１３０を保持可能である。絶縁本体部１２１の外径は、グランドコンタクト導体１１０の本体部１１１の内径よりも小さく設定されている。そのため、絶縁本体部１２１は本体部１１１内に収容可能に構成されており、絶縁本体部１２１の外周面は本体部１１１によって覆われる。
【００４１】
絶縁本体部１２１の外周面には、一対の係合片１２４が一体的に設けられている。一対の係合片１２４は、絶縁本体部１２１の延在方向（筒軸方向）における絶縁本体部１２１の上端縁（絶縁本体部１２１のうち配線基板とは反対側の端縁）に位置している。一対の係合片１２４は、絶縁本体部１２１の外周面から径方向外方に向けて突出している。一対の係合片１２４が本体部１１１の切り欠き部１１１ｃと係合することで、絶縁本体部１２１が本体部１１１に対して引っ掛けられる。これにより、絶縁本体部１２１は、本体部１１１内に保持される。
【００４２】
突出部１２２は、図３〜図８に示されるように、絶縁本体部１２１の外周面から径方向外方に向けて突出するように、絶縁本体部１２１に一体的に設けられている。突出部１２２は、同軸ケーブル２００の内部導体２０１、絶縁体２０２及び外部導体２０３を支持可能に構成されている。突出部１２２は、全体として直方体形状を呈しており、一対のアーム部１１３の間に配置されている。そのため、突出部１２２のうち一対の側面は、一対のアーム部１１３の各内面とそれぞれ当接している。突出部１２２は、絶縁本体部１２１寄りに位置する基端部１２２ａと、基端部１２２ａよりも外方に位置する先端部１２２ｂとを含む。
【００４３】
基端部１２２ａの上面（基端部１２２ａのうち配線基板とは反対側の面）には、図５〜図８に示されるように、凹溝１２５が形成されている。凹溝１２５は、絶縁本体部１２１の内部と先端部１２２ｂとを連通するように直線状に延びている。凹溝１２５内には、コネクタ組立体１の完成後において、同軸ケーブル２００の内部導体２０１が敷設される。
【００４４】
先端部１２２ｂは、ベース部１２２ｃと、一対の壁部１２２ｄとで構成されている。具体的には、ベース部１２２ｃは、平板状を呈しており、基端部１２２ａのうち下端部（基端部１２２ａのうち配線基板と対向する側の部分）から絶縁本体部１２１の径方向外方に向けて突出している。コネクタ組立体１の完成後において、ベース部１２２ｃには、同軸ケーブル２００の絶縁体２０２及び外部導体２０３の一部が載置される。
【００４５】
一対の壁部１２２ｄはそれぞれ、板状を呈している。一対の壁部１２２ｄはそれぞれ、ベース部１２２ｃの各側端縁から上方に向けて延びるようにベース部１２２ｃに突設されている。一対の壁部１２２ｄはそれぞれ、第１の部分１２２ｄ１と、第２の部分１２２ｄ２とを含んでいる。
【００４６】
第１の部分１２２ｄ１は、基端部１２２ａと一体的に接続されている。第２の部分１２２ｄ２は、第１の部分１２２ｄ１よりも外方に位置しており、第１の部分１２２ｄ１と一体的に接続されている。図８に示されるように、一対の第１の部分１２２ｄ１同士の離間距離Ｗ１は、一対の第２の部分１２２ｄ２同士の離間距離Ｗ２よりも小さい。すなわち、一対の壁部１２２ｄの内壁面側において、第１の部分１２２ｄ１と第２の部分１２２ｄ２との間には、段差が設けられている。一方、第１の部分１２２ｄ１の外壁面と第２の部分１２２ｄ２の外壁面とは、連続しており、一つの平面を構成している。
【００４７】
当該段差の大きさ（離間距離Ｗ２と離間距離Ｗ１との差を２で割った値）は、同軸ケーブル２００の外部導体２０３の径方向における厚さと同程度であってもよい。例えば、外部導体２０３を構成する金属線の直径が０．０５ｍｍ程度である場合には、当該段差の大きさは０．０５ｍｍ〜０．０６ｍｍ程度であってもよい。
【００４８】
第２の部分１２２ｄ２の長さは、一対の第２の部分１２２ｄ２によって同軸ケーブル２００の外部導体２０３の少なくとも先端部を覆うことができれば特に限定されない。同軸ケーブル２００の直径が０．６ｍｍ〜０．８ｍｍ程度である場合には、第２の部分１２２ｄ２の長さは０．１５ｍｍ程度であってもよい。
【００４９】
図５及び図６に示されるように、コネクタ組立体１の完成後において、同軸ケーブル２００の絶縁体２０２及び外部導体２０３の一部が一対の壁部１２２ｄの間に位置している。より詳しくは、絶縁体２０２の大部分は、一対の第１の部分１２２ｄ１の間に位置しており、一対の第１の部分１２２ｄ１と対向している。外部導体２０３の少なくとも先端は、一対の第２の部分１２２ｄ２の間に位置しており、一対の第２の部分１２２ｄ２と対向している。換言すれば、ベース部１２２ｃと一対の壁部１２２ｄとによって、同軸ケーブル２００の絶縁体２０２及び外部導体２０３が配置可能な空間が構成されている。
【００５０】
押圧部１２３は、図４、図７及び図８に示されるように、連結部１２６を介して絶縁本体部１２１に一体的に設けられている。そのため、押圧部１２３は、連結部１２６が屈曲することで、連結部１２６を起点として揺動し、絶縁本体部１２１に対して近接及び離間可能である。同軸ケーブル２００をプラグコネクタ１００に取り付ける前は、図５及び図６に示されるように、押圧部１２３は絶縁本体部１２１及び突出部１２２に対して起立した状態（押圧部１２３が絶縁本体部１２１及び突出部１２２から離間した起立状態）である。一方、押圧部１２３が連結部１２６を介して折り曲げられると、連結部１２６が屈曲して、図４に示されるように、押圧部１２３が絶縁本体部１２１及び突出部１２２に対して対向した状態（押圧部１２３が絶縁本体部１２１及び突出部１２２に近接した伏臥状態）となる。押圧部１２３の伏臥状態において、押圧部１２３は、シェル部１１５の基端部１１５ａによって覆われ、絶縁本体部１２１及び突出部１２２と対向する。
【００５１】
［信号コンタクト導体］
信号コンタクト導体１３０は、プレス加工された金属薄板で構成されている。そのため、信号コンタクト導体１３０は導電性を有する。信号コンタクト導体１３０は、図７及び図９に示されるように、ベース片１３１と、挟持片１３２と、一対の接続片１３３とを有する。
【００５２】
ベース片１３１は、矩形状を呈する板状体である。挟持片１３２は、片持ち状の板部材である。挟持片１３２は、ベース片１３１の端縁に一体的に設けられている。挟持片１３２は、ベース片１３１の上方に位置している。挟持片１３２は、ベース片１３１に近づく側に凸となるように屈曲された屈曲部を有している。
【００５３】
一対の接続片１３３はそれぞれ、ベース片１３１の各側縁に一体的に設けられており、ベース片１３１の下方に向けて突出している。一対の接続片１３３は、下方から見て略Ｌ字形状を呈する片持ち状の板部材である。一対の接続片１３３は、リセプタクルコネクタの信号コンタクト導体と嵌着可能に構成されている。一対の接続片１３３がリセプタクルコネクタの導体コンタクトと嵌着する際には、一対の接続片１３３が当該導体コンタクトによって押し広げられ、当該導体コンタクトと弾性的に嵌着する。
【００５４】
［組み立て方法］
続いて、グランドコンタクト導体１１０、絶縁ハウジング１２０及び信号コンタクト導体１３０を組み立てて、同軸ケーブル２００の先端部にプラグコネクタ１００を取り付ける方法について説明する。
【００５５】
まず、同軸ケーブル２００を加工する。具体的には、同軸ケーブル２００の先端側に向かうにつれて、外部導体２０３、絶縁体２０２及び内部導体２０１がこの順に段状に露出するように、絶縁体２０２、外部導体２０３及び保護被膜２０４を除去する。
【００５６】
次に、図５〜図７に示されるように、蓋部１１２が起立状態にあるグランドコンタクト導体１１０の本体部１１１内に、押圧部１２３が起立状態にある絶縁ハウジング１２０を配置する。このとき、絶縁ハウジング１２０の突出部１２２が一対のアーム部１１３間に位置し、絶縁ハウジング１２０の一対の係合片１２４がそれぞれ本体部１１１の一対の切り欠き部１１１ｃと係合するように、絶縁ハウジング１２０がグランドコンタクト導体１１０に対して組み立てられる。
【００５７】
次に、図５〜図７に示されるように、信号コンタクト導体１３０を絶縁ハウジング１２０の絶縁本体部１２１に載置する。このとき、信号コンタクト導体１３０は、接続片１３３が絶縁本体部１２１内に挿通された状態で、絶縁本体部１２１に支持される。
【００５８】
次に、加工後の同軸ケーブル２００の内部導体２０１をベース片１３１上に配置する（図４〜図６参照）。このとき、内部導体２０１の先端のうち絶縁体２０２寄りの部分は凹溝１２５内に収容され、内部導体２０１の先端のうち絶縁体２０２から離れた部分はベース片１３１上に重なる。同軸ケーブル２００の絶縁体２０２の大部分は、一対の第１の部分１２２ｄ１の間に配置される。同軸ケーブル２００の外部導体２０３の少なくとも先端は、一対の第２の部分１２２ｄ２の間に配置される。
【００５９】
この状態で、蓋部１１２を伏臥状態まで本体部１１１に向けて押し倒す。このとき、絶縁ハウジング１２０の押圧部１２３も蓋部１１２によって押され、押圧部１２３が伏臥状態となるまで絶縁本体部１２１に向けて押される。これにより、信号コンタクト導体１３０の挟持片１３２が押圧部１２３によって押され、挟持片１３２がベース片１３１に近接する。このとき、挟持片１３２の凸状の屈曲部は、押圧部１２３と同軸ケーブル２００の内部導体２０１とによって挟圧されるので、挟持片１３２が全体として平坦状に変形する。従って、図４に示されるように、同軸ケーブル２００の内部導体２０１が、挟持片１３２とベース片１３１とで挟持される。その結果、信号コンタクト導体１３０と同軸ケーブル２００の内部導体２０１とが電気的且つ物理的に接続され、信号回路が構成される。
【００６０】
次に、一対の固定部１１６が一対のアーム部１１３を外側から覆うと共に突出部１２２のうち下面（配線基板と対向する側の面）に巻き付くように、一対の固定部１１６を一対のアーム部１１３に対して折り曲げる。これにより、一対の固定部１１６が一対のアーム部１１３及び突出部１２２を把持し、蓋部１１２が一対のアーム部１１３及び突出部１２２に固定される。このとき、図２に示されるように、固定部１１６の下端が、本体部１１１の下端縁１１１ａよりも下方（配線基板側）に向けて突出している。
【００６１】
次に、一対の固定部１１７が同軸ケーブル２００の外部導体２０３の一部（保護被膜２０４寄りの部分）を覆うように、一対の固定部１１７を外部導体２０３に対して折り曲げる。これにより、一対の固定部１１７が外部導体２０３に固定される。すなわち、グランドコンタクト導体１１０と同軸ケーブル２００の外部導体２０３とが電気的且つ物理的に接続され、グランド回路が構成される。
【００６２】
次に、一対の固定部１１８が同軸ケーブル２００の保護被膜２０４を覆うように、一対の固定部１１８を保護被膜２０４に対して折り曲げる。これにより、一対の固定部１１８が保護被膜２０４に固定される。
【００６３】
以上により、同軸ケーブル２００が蓋部１１２によって保持され、同軸ケーブル２００にプラグコネクタ１００が取り付けられる。こうして、コネクタ組立体１が完成する。このとき、シェル部１１５は、同軸ケーブル２００のうち内部導体２０１から保護被膜２０４の先端部に至るまでを覆う。その後、コネクタ組立体１のプラグコネクタ１００をリセプタクルコネクタに嵌合することで、同軸ケーブル２００の内部導体２０１が配線基板の信号回路に電気的に接続され、同軸ケーブル２００の外部導体２０３が配線基板のグランド回路に電気的に接続される。
【００６４】
［作用］
以上のような本実施形態では、絶縁ハウジング１２０が、絶縁本体部１２１の周面から絶縁本体部１２１の径方向外方に向けて突出する突出部１２２を含む。突出部１２２は、同軸ケーブル２００の絶縁体２０２及び外部導体２０３が載置されるベース部１２２ｃと、ベース部１２２ｃに突設されると共に外部導体２０３のうち少なくとも先端を間に置くように配置された一対の壁部１２２ｄとを含んでいる。そのため、外部導体２０３のうち解れやすい先端が、一対の壁部１２２ｄによって保護されている。従って、同軸ケーブル２００の外部導体２０３が解れたとしても外部導体２０３が外方に拡がるのを抑制することが可能となる。これにより、外部導体２０３の解れた金属線がちぎれ難くなる。また、外部導体２０３の解れた金属線がプラグコネクタ１００から外方に延び難くなるので、リセプタクルコネクタの信号コンタクト導体との間で短絡の発生が抑制される。
【００６５】
本実施形態では、一対の第１の部分１２２ｄ１同士の離間距離Ｗ１は、一対の第２の部分１２２ｄ２同士の離間距離Ｗ２よりも小さい。同軸ケーブル２００の絶縁体２０２の直径は外部導体２０３の直径よりも小さい。そのため、離間距離Ｗ１が離間距離Ｗ２よりも小さいプラグコネクタ１００によれば、一対の壁部１２２ｄの内壁面が絶縁体２０２及び外部導体２０３の外形に対応した形状となる。従って、絶縁体２０２及び外部導体２０３の双方が一対の壁部１２２ｄによってしっかりと案内されるので、一対の壁部１２２ｄによって絶縁体２０２及び外部導体２０３の振れを抑制することができる。また、第１の部分１２２ｄ１の外壁面と第２の部分１２２ｄ２の外壁面とが同一平面上にあるので、壁部１２２ｄのうち第１の部分１２２ｄ１が第２の部分１２２ｄ２よりも厚肉となる。そのため、壁部１２２ｄの強度を高めることができる。
【００６６】
本実施形態では、突出部１２２には、絶縁本体部１２１に向けて延び且つ内部に同軸ケーブル２００の内部導体２０１が敷設された凹溝１２５が設けられている。そのため、内部導体２０１が凹溝１２５によってしっかりと案内されるので、凹溝１２５によって内部導体２０１の振れを抑制することができる。
【００６７】
本実施形態では、コネクタ組立体１の完成後において、固定部１１６の下端が、本体部１１１の下端縁１１１ａよりも下方（配線基板側）に向けて突出している。そのため、グランドコンタクト導体１１０の本体部１１１の配線基板側への突出量が抑制される。従って、プラグコネクタ１００の低背化を図ることができる。
【００６８】
［他の実施形態］
以上、本開示に係る実施形態について詳細に説明したが、本発明の要旨の範囲内で種々の変形を上記の実施形態に加えてもよい。例えば、他の電気コネクタ（例えば、リセプタクルコネクタ）に本発明を適用してもよい。
【００６９】
一対の壁部１２２ｄが段差を有していなくてもよい。この場合、一対の壁部１２２ｄの各内壁面は、図１０に示されるようにその延在方向において略平行に延びていてもよいし、外方に向かうにつれて互いに近接するように延びていてもよいし、外方に向かうにつれて互いに離間するように延びていてもよいし、波状に屈曲していてもよい。
【００７０】
第１の部分１２２ｄ１と第２の部分１２２ｄ２との間にスリットが設けられており、第１の部分１２２ｄ１と第２の部分１２２ｄ２とが離間していていてもよい。
【００７１】
図１１に示されるように、壁部１２２ｄは、第１の部分１２２ｄ１に相当する部分を含んでいなくてもよい。すなわち、壁部１２２ｄと基端部１２２ａとの間に切り欠き部１２７が設けられていてもよい。この場合、同軸ケーブル２００の絶縁体２０２の大部分が一対の壁部１２２ｄによって覆われない。すなわち、絶縁体２０２の周りには、ベース部１２２ｃ以外の絶縁ハウジング１２０が存在しておらず、空気が存在している。ここで、空気の比誘電率は、約１であり、絶縁ハウジング１２０を構成する材料（例えば樹脂等）の比誘電率よりも低い。比誘電率が低いと、比誘電率に比例する静電容量値も低い。そのため、静電容量値に反比例する性質を有する特性インピーダンスを、比較的大きくすることができる。従って、プラグコネクタ１００の小型化及び低背化が進んだとしても、特性インピーダンスを所望の値（例えば５０Ω）に整合しやすくなる。
【００７２】
図１２に示されるように、グランドコンタクト導体１１０の一対のアーム部１１３にそれぞれ係止部１１９が設けられており、絶縁ハウジング１２０の突出部１２２に一対の被係止部１２８が設けられていてもよい。一方のアーム部１１３に設けられた係止部１１９は、他方のアーム部１１３に向けて突出している。他方のアーム部１１３に設けられた係止部１１９は、一方のアーム部１１３に向けて突出している。係止部１１９は、図１２に示される例において、四角柱状の突起であるが、被係止部１２８との間で係止可能であれば他の形状であってもよいし突起以外の形態であってもよい。
【００７３】
被係止部１２８は、図１２に示される例において、係止部１１９に対応する形状を呈する窪みである。突出部１２２のうち一方の側面に設けられた被係止部１２８は、突出部１２２のうち他方の側面に向けて窪んでいる。突出部１２２のうち他方の側面に設けられた被係止部１２８は、突出部１２２のうち一方の側面に向けて窪んでいる。被係止部１２８は、被係止部１２８が係止可能であれば、窪み以外の他の形態であってもよい。
【００７４】
各係止部１１９は、対応するアーム部１１３の先端で且つ下縁近傍に位置している。各被係止部１２８は、突出部１２２のうち対応する側面の先端縁側で且つ下端縁側に位置している。ただし、係止部１１９及び被係止部１２８の位置は、係止部１１９と被係止部１２８とが係合可能であれば特に限定されない。
【００７５】
このような係止部１１９が対応する被係止部１２８に係止されることで、絶縁ハウジング１２０がグランドコンタクト導体１１０に保持される。そのため、コネクタ組立体１を製造する際に、同軸ケーブル２００を絶縁ハウジング１２０に載置したとき、絶縁ハウジング１２０がグランドコンタクト導体１１０に対して移動してしまうことが抑制される。従って、コネクタ組立体１を安定的に製造することができる。
【符号の説明】
【００７６】
１…コネクタ組立体、１００…プラグコネクタ、１１０…グランドコンタクト導体、１１１…本体部、１１２…蓋部、１１３…アーム部、１１６〜１１８…固定部、１１９…係止部、１２０…絶縁ハウジング、１２１…絶縁本体部、１２２…突出部、１２２ｄ１…第１の部分、１２２ｄ２…第２の部分、１２２ｃ…ベース部、１２２ｄ…壁部、１２５…凹溝、１２７…切り欠き部、１２８…被係止部、１３０…信号コンタクト導体、２００…同軸ケーブル、２０１…内部導体、２０２…絶縁体、２０３…外部導体、ＳＬ…スリット。
【図１】
0006330851.tif 000002
【図２】
0006330851.tif 000003
【図３】
0006330851.tif 000004
【図４】
0006330851.tif 000005
【図５】
0006330851.tif 000006
【図６】
0006330851.tif 000007
【図７】
0006330851.tif 000008
【図８】
0006330851.tif 000009
【図９】
0006330851.tif 000010
【図１０】
0006330851.tif 000011
【図１１】
0006330851.tif 000012
【図１２】
0006330851.tif 000013